(57)【要約】【課題】補助注入部材を挿入軸の回りに回動自在に設けることによって、補助注入部材の注入口から液体を確実に注入することのできる内視鏡の手元操作部を提供する。【解決手段】手元操作部１０は、ケース４０の上面に突出部４０Ａが形成され、この突出部４０Ａの上端に鉗子挿入口４４Ａが形成される。突出部４０Ａの側面には、注入口７２Ａを有する補助注入部材７２が設けられ、注入口７２Ａは、鉗子挿入口４４Ａを一端とする管路４４Ｂに連通される。補助注入部材７２は、挿入軸７６を中心として回動自在に設けられる。【選択図】      図１
2005027902.tif 000002
【特許請求の範囲】
【請求項１】
鉗子挿入口を有する鉗子導入部が形成されるとともに、前記鉗子挿入口を一端とする管路に連通される注入口を有する注入部材が前記鉗子導入部に設けられる内視鏡の手元操作部において、
前記注入部材は、前記管路の回りに回動自在に設けられることを特徴とする内視鏡の手元操作部。
【請求項２】
前記鉗子導入部は、前記手元操作部の長手方向の軸に対して回動自在に設けられることを特徴とする請求項１に記載の内視鏡の手元操作部。
【発明の詳細な説明】
【技術分野】
【０００１】
本発明は内視鏡の手元操作部に係り、特に鉗子等の処置具を挿入するための鉗子挿入口を備えた医療用内視鏡の手元操作部に関する。
【背景技術】
【０００２】
医療用の内視鏡においては、細胞を採取したり、患部の摘出を行ったりするために、鉗子や電気メス等の処置具が用いられる。この処置具を体内に導くため、内視鏡には鉗子チャンネルが設けられる。鉗子チャンネルは、一端が挿入部の先端部に位置し、他端が手元操作部まで延在されている。手元操作部の上面には突出部が形成され、この突出部の先端に前記鉗子チャンネルの端部、すなわち鉗子挿入口が設けられる。この鉗子挿入口に処置具を挿入することによって、処置具が鉗子チャンネルに挿通され、挿入部の先端部から導出される。
【０００３】
特許文献１には、手元操作部の突出部の側面に補助注入部材を備えた内視鏡が記載されている。補助注入部材は、鉗子チャンネルに連通されており、この補助注入部材に液体を注入することによって、液体が鉗子チャンネル内を通って、挿入部の先端部から体腔内に供給される。
【特許文献１】特許第３２１８７０３号公報
【発明の開示】
【発明が解決しようとする課題】
【０００４】
しかしながら、従来の内視鏡は、手元操作部を傾けた際に補助注入部材が斜めになり、液体が補助注入部材の内部に自然落下しにくくなって液体の注入流量が減少するおそれがあった。
【０００５】
本発明はこのような事情に鑑みてなされたもので、補助注入部材に液体を確実に注入することのできる内視鏡の手元操作部を提供することを目的とする。
【課題を解決するための手段】
【０００６】
請求項１記載の発明は、前記目的を達成するために、鉗子挿入口を有する鉗子導入部が形成されるとともに、前記鉗子挿入口を一端とする管路に連通される注入口を有する注入部材が前記鉗子導入部に設けられる内視鏡の手元操作部において、前記注入部材は、前記管路の回りに回動自在に設けられることを特徴としている。
【０００７】
請求項１に記載の発明によれば、注入部材が回動自在に設けられているので、注入口を任意の方向に向けることができる。したがって、手元操作部を傾けた場合であっても、注入口を上方に向けることができ、注入口から液体を確実に注入することができる。
【０００８】
請求項２に記載の発明は請求項１の発明において、前記鉗子導入部は、前記手元操作部の長手方向の軸に対して回動自在に設けられることを特徴としている。
【０００９】
請求項２に記載の発明は、鉗子導入部が回動自在に設けられているので、鉗子挿入口を任意の方向に向けることができ、鉗子等の処置具を鉗子挿入口に容易に出し入れすることができる。また、請求項２に記載の発明によれば、鉗子導入部を回動させることによって注入口が斜めを向いた場合であっても、注入部材を回動させることによって注入口を上方に向けることができ、液体を確実に注入口に注入することができる。
【発明の効果】
【００１０】
本発明に係る内視鏡の手元操作部によれば、注入部材が回動自在に設けられているので、注入口を上方に向けることができ、液体を確実に注入することができる。特に本発明は、鉗子導入部を手元操作部の長手方向の軸に対して回動させる構造の手元操作部に対して効果的であり、鉗子等の処置具の挿入操作性を向上させることができるとともに、液体の注入流量を確保することができる。
【発明を実施するための最良の形態】
【００１１】
以下添付図面に従って本発明に係る内視鏡の手元操作部の好ましい実施形態について説明する。
【００１２】
図１は、本発明に係る手元操作部を備えた内視鏡の外観を示す側面図である。
【００１３】
図１に示す内視鏡は主として、手元操作部１０と、この手元操作部１０の先端に接続された挿入部１２を備える。挿入部１２は、先端部１４、第１湾曲部１６、第２湾曲部１８、及び軟性部２０から成り、第１湾曲部１６及び第２湾曲部１８はそれぞれ上下方向に湾曲自在に構成される。先端部１４には、不図示の鉗子口、照明光学系、及び観察光学系が配設される。観察光学系の後方にはイメージガイド（不図示）が接続されており、このイメージガイドは挿入部１２に挿通されて、手元操作部１０の接眼部２２まで延在される。これにより、接眼部２２を覗くことによって、画像を観察することができる。
【００１４】
一方、手元操作部１０は主として、鉗子導入部２４、把持部２６、操作部２８、及びコネクタ部３０で構成される。
【００１５】
コネクタ部３０の下面にはＬＧコネクタ６６が突設され、このＬＧコネクタ６６にはケーブル７０の先端が着脱自在に装着される。ケーブル７０の内部には光ファイバー（不図示）が内装されており、このケーブル７０の基端は光源装置６８に接続される。これにより、光源装置６８から照射された照明光がケーブル７０を介してＬＧコネクタ６６に伝送される。ＬＧコネクタ６６に伝送された照明光は、挿入部１２に挿通されたライトガイド（不図示）を介して、先端部１４の照明レンズに送られる。これにより、先端部１４の照明レンズから照明光が照射される。
【００１６】
把持部２６は術者が把持する部位であり、術者はこの把持部２６の把持ケース３８を把持しながら、操作部２８に設けられた第１操作レバー３２、第２操作レバー３４、及びロックレバー３６を前後方向に揺動させて操作する。第１操作レバー３２を操作することによって第１湾曲部１６が上下に湾曲され、第２操作レバー３４を操作することによって第２湾曲部１８が上下に湾曲される。また、ロックレバー３６を操作することによって第２操作レバー３４がロックされる。
【００１７】
鉗子導入部２４は、図２に示すように、主としてケース４０、回動筒４２、及び管路形成部材４４で構成される。
【００１８】
ケース４０は鉗子導入部２４の外観を成す部材であり、上面に突出部４０Ａを備えている。突出部４０Ａは、手元操作部１０の先端の中心軸（すなわち挿入部１２の基端の中心軸）５０に対して、斜め方向に所定の角度で（例えばα＝１３５度程度の角度で）突出されている。
【００１９】
突出部４０Ａの内部には管路形成部材４４が取り付けられる。管路形成部材４４の上端部は、突出部４０Ａから突出されており、その上端位置には鉗子挿入口４４Ａが形成されている。また、管路形成部材４４の内部には、鉗子挿入口４４Ａから突出部４０Ａの軸方向に沿って管路４４Ｂが形成される。この管路４４Ｂは、角度αで屈曲された後、中心軸５０と平行に形成される。管路４４Ｂの先端には、鉗子チューブ４６が接続される。この鉗子チューブ４６は、挿入部１２（図１参照）に挿通され、先端部１４の鉗子口（不図示）に接続される。これにより、鉗子挿入口４４Ａから処置具を挿入すると、処置具は、管路４４Ｂ及び鉗子チューブ４６を通って、鉗子口から導出される。
【００２０】
管路形成部材４４及びケース４０は、回動筒４２に連結される。回動筒４２は、フレーム４８Ａによって支持され、中心軸５０を中心として回動自在に支持される。これにより、鉗子導入部２４全体が、中心軸５０を中心として回動自在に支持されるので、鉗子挿入口４４Ａを中心軸５０のまわりに回動させることができる。なお、フレーム４８Ａは、筒形状をした骨組みの部材であり、このフレーム４８Ａの先端側に不図示の地板が固定される。また、フレーム４８Ａの基端側には筒状のフレーム４８Ｂが連結され、このフレーム４８Ｂに後述する筒体５８が固定される。
【００２１】
フレーム４８Ａの下端位置には規制ピン５６が突設されており、この規制ピン５６は、回動筒４２に形成された長孔４２Ａに貫通した状態に取り付けられる。長孔４２Ａは、回動筒４２の周方向に形成され、下端位置を基準として左右に９０度ずつ形成される。これにより、回動筒４２を左右に９０度ずつ回動させることができる。
【００２２】
回動筒４２の先端側（図中、左側）には、リング状の摩擦板５２がフレーム４８Ａに外挿されている。さらに、摩擦板５２の先端側には、押さえリング５４がフレーム４８Ａに螺合されている。この押さえリング５４のねじ込み量を調節することによって、摩擦板５２と回動筒４２との間に働く摩擦力を調節することができる。この摩擦力は、例えば鉗子導入部２４全体を回動させた際に、鉗子導入部２４が任意の位置で停止するように調節される。押さえリング５４は、ねじ込み量を調節した後、不図示のねじによってフレーム４８Ａに固定される。
【００２３】
なお、図２の符号５８は筒体であり、この筒体５８はカバーゴム６０によって被覆される。筒体５８及びカバーゴム６０の先端には挿入部１２（図１参照）が接続される。また、筒体５８の基端側はケース４０に接しており、筒体５８とケース４０との隙間はＯリング６２によって気密をとっている。また、図２の符号３８は、把持部２６の外観を成す把持ケースであり、この把持ケース３８はフレーム４８Ａに固定されている。把持ケース３８とフレーム４８Ａとの隙間はＯリング６４によって気密をとっている。
【００２４】
ところで、ケース４０の突出部４０Ａの側面には、略筒状の補助注入部材（または補助吸引部材）７２が設けられている。補助注入部材７２の上端にはフランジ７２Ｂが形成されており、このフランジ７２Ｂに補助注入用の管路（不図示）が連結される。補助注入部材７２の下端はリング部材７４に螺着される。リング部材７４は、管路形成部材４４に外挿され、挿入軸７６を中心として回動自在に支持される。これにより、補助注入部材７２を挿入軸７６の回りに回動させることができる。なお、補助注入部材７２は、挿入軸７６に対して直交する方向に取り付けられる。
【００２５】
図３に示すように、突出部４０Ａの上部には、切欠き４０Ｂが突出部４０Ａの周方向に形成されている。前述した補助注入部材７２は、この切欠き４０Ｂが形成された範囲で回動することができ、例えば、上端位置を基準として左右に９０度ずつ回動するようになっている。
【００２６】
管路形成部材４４の外周面とリング部材７４の内周面との間には、若干の隙間が形成される。また、管路形成部材４４には、四つの貫通孔４４Ｃ、４４Ｃ…が形成される。したがって、補助注入部材７２の注入口７２Ａは、前記隙間と貫通孔４４Ｃ、４４Ｃ…を介して管路４４Ｂに連通されており、その連通状態は、補助注入部材７２を回動させた際においても常に維持される。
【００２７】
次に上記の如く構成された手元操作部１０の作用について説明する。
【００２８】
鉗子挿入口４４Ａに鉗子等の処置具を挿入する際、鉗子導入部２４を回動させることによって、鉗子挿入口４４Ａを、鉗子の挿入しやすい位置に配置する。例えば、図４（Ａ）に示すように、鉗子導入部２４を６０度程度傾斜させる。このとき、補助注入部材７２も傾斜した状態になるため、注入口７２Ａに液体が自然落下しにくくなり、液体の注入流量が減少するおそれがある。
【００２９】
そこで、図４（Ｂ）に示すように、補助注入部材７２を挿入軸７６に対して回動させることによって、注入口７２Ａを上方に向ける。これにより、液体が自然落下しやすくなり、確実に注入することができる。
【００３０】
このように本実施の形態の手元操作部１０によれば、補助注入部材７２が回動自在に支持されているので、鉗子導入部２４を回動させた際であっても、注入口７２Ａを常に上方に向けることができる。したがって、注入口７２Ａに点滴注射した液体が自然落下しやすくなり、液体を確実に注入することができる。
【００３１】
なお、手元操作部１０の操作方法は上述した実施の形態に限定されるものではない。例えば、液体を注射器によって強制的に注入口７２Ａに注入する場合には、図５に示すように、補助注入部材７２を回動させることによって、注入口７２Ａを、注入器の操作しやすい方向に向けてもよい。
【００３２】
また、補助注入部材７２の回動範囲、及び鉗子挿入口４４Ａの回動範囲は、上述した実施形態に限定されるものではなく、任意の角度に設定することができる。ただし、回動範囲を広く設定すると内容物の負担が増えることから、１８０度以下に設定することが好ましい。
【００３３】
さらに、上述した実施の形態は、鉗子導入部２４が回動自在に支持された例で説明したが、鉗子導入部２４が回動せずに固定された手元操作部においても適用することができる。すなわち、鉗子導入部２４が固定された手元操作部においては、手元操作部を傾斜させた際に補助注入部材７２が斜めになって液体の注入流量が減少するおそれがあるが、補助注入部材７２を回動させて上方に向けることによって液体の注入流量を確保することができる。
【００３４】
なお、上述した実施の形態は、注入口７２Ａから液体を注入する例で説明したが、注入口７２Ａにエアなどの気体を注入したり、或いは、注入口７２Ａから液体や気体等の流体を吸引したりしてもよい。
【図面の簡単な説明】
【００３５】
【図１】本発明に係る内視鏡の手元操作部の実施形態を示す側面図
【図２】鉗子導入部の構造を示す側断面図
【図３】図２の３−３線に沿う断面図
【図４】手元操作部の操作方法を説明する説明図
【図５】図４と異なる操作方法を説明する説明図
【符号の説明】
【００３６】
１０…手元操作部、１２…挿入部、１４…先端部、１６…第１湾曲部、１８…第２湾曲部、２０…軟性部、２２…接眼部、２４…鉗子導入部、２６…把持部、２８…操作部、３０…コネクタ部、３２…第１操作レバー、３４…第２操作レバー、３６…ロックレバー、３８…把持ケース、４０…ケース、４２…回動筒、４４…管路形成部材、４４Ａ…鉗子挿入口、４４Ｂ…管路、４６…鉗子チューブ、４８Ａ、４８Ｂ…フレーム、５０…中心軸、５２…摩擦板、５４…押さえリング、５６…規制ピン、５８…筒体、６０…カバーゴム、６２、６４…Ｏリング、６６…ＬＧコネクタ、６８…光源装置、７０…ケーブル、７２…補助注入部材、７２Ａ…注入口、７４…リング部材、７６…挿入軸
【図１】
2005027902.tif 000003
【図２】
2005027902.tif 000004
【図３】
2005027902.tif 000005
【図４】
2005027902.tif 000006
【図５】
2005027902.tif 000007